【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
少なくとも、第１色にセンスする画素と第２色にセンスする画素を周期的に配置した受光部からの信号をデジタル形式にて示した画素値データを受けて処理する、デジタルデータ符号化装置において、
第１色にセンスする第１画素の第１画素値データと、前記第１画素の近傍に位置し、第１色にセンスする第２画素の第２画素値データとの差分値を第１画素差分値として出力すると共に、第２色にセンスする第３画素の第３画素値データと、前記第３画素の近傍に位置し、第２色にセンスする第４画素の第４画素値データとの差分値を第２画素差分値として出力する、差分生成部と、
前記第１画素差分値の絶対値と前記第２画素差分値の絶対値のうちの最大値を最大画素値差として求め、求めた最大画素値差以上の値を量子化参照値として決定する量子化参照値決定部と、
前記第１画素値データと前記量子化参照値との差を第１オフセット値として設定すると共に、前記第３画素値データと前記量子化参照値との差を第２オフセット値として設定するオフセット値設定部と、
前記第２画素値データと第１オフセット値との差を、第１被量子化処理値として設定すると共に、前記第４画素値データと第２オフセット値との差を、第２被量子化処理値として設定する被量子化処理値設定部と、
前記第１被量子化処理値および第２被量子化処理値を、それぞれ量子化して第１圧縮符号化画素値データおよび第２圧縮符号化画素値データを求める量子化部と、を有することを特徴とするデジタルデータ符号化装置。
【請求項２】
前記第１色と、前記第２色は相異なる、ことを特徴とする請求項１に記載のデジタルデータ符号化装置。
【請求項３】
さらに、前記オフセット値設定部の定めたオフセット値が、ゼロ以下である場合、前記オフセット値をゼロに設定しなおすオフセット値ゼロ設定部を有する、ことを特徴とする請求項１に記載のデジタルデータ符号化装置。
【請求項４】
さらに、前記量子化における量子化幅を決定する量子化幅決定部を有する、ことを特徴とする請求項１に記載のデジタルデータ符号化装置。
【請求項５】
前記量子化幅は、前記最大画素値差が大きくなるに従って増加する、ことを特徴とする請求項４に記載のデジタルデータ符号化装置。
【請求項６】
さらに、前記決定された量子化幅をｍビット長（ｍは自然数）の符号に符号化する量子化幅情報データ生成部を有する、ことを特徴とする請求項４に記載のデジタルデータ符号化装置。
【請求項７】
前記量子化幅決定部は、予め決められた複数の量子化幅のいずれか１つに決定する、ことを特徴とする請求項４に記載のデジタルデータ符号化装置。
【請求項８】
前記複数の量子化幅の数は、２のｍ乗個以下である、ことを特徴とする請求項７に記載のデジタルデータ符号化装置。
【請求項９】
前記ｍは、２である、ことを特徴とする請求項６に記載のデジタルデータ符号化装置。
【請求項１０】
さらに、圧縮符号化画像データ生成部を有し、
前記圧縮符号化画像データ生成部は、少なくとも、前記量子化幅情報データ、前記第１圧縮符号化画素値データ、および、前記第２圧縮符号化画素値データのいずれかを含む、ｓビット長（ｓは自然数）の圧縮符号化画像データを生成し、ここで前記ｓは、８の倍数である、ことを特徴とする請求項６に記載のデジタルデータ符号化装置。
【請求項１１】
前記圧縮符号化画像データ生成部は、前記第１画素値データをそのまま、初期画素値データとして、前記圧縮符号化画像データに記録する、ことを特徴とする請求項１０に記載のデジタルデータ符号化装置。
【請求項１２】
前記量子化幅決定部は、前記第１画素差分値および第２画素差分値のそれぞれに関する符号なし整数バイナリ値表現に要する桁数のうちの最大桁数値を求めることにより、前記複数の量子化幅のいずれか１つに決定する、ことを特徴とする請求項７に記載のデジタルデータ符号化装置。
【請求項１３】
さらに、前記第２画素値データを補正し誤差補正画素値データを生成する誤差補正部と、
圧縮符号化画素値データを復号化して復号化画素値データを出力するデジタルデータ復号化部とを有し、
前記オフセット値設定部は、前記第１画素値データの代りに前記復号化画素値データを用いて前記第１オフセット値を設定し、
前記被量子化処理値設定部は、前記第２画素値データの代りに前記誤差補正画素値データを用いて前記第１被量子化処理値を設定することを特徴とする請求項１に記載のデジタルデータ符号化装置。
【請求項１４】
前記誤差補正部における前記第２画素値データの補正は、前記第２画素値から、前記第１画素値データと前記復号化画素値データとの差に関連する補正値を引き算することによりなされることを特徴とする請求項１３に記載のデジタルデータ符号化装置。
【請求項１５】
第１色にセンスする第１画素の第１画素値データがそのまま第１初期画素値データとして記録されている初期画素値データ部と、前記第１画素の近傍に位置し第１色にセンスする第２画素の第２画素値データを示す第１圧縮符号化画素値データが記録されている圧縮符号化画素値データ部と、を備えるｓビット長（ｓは自然数）の圧縮符号化画像データを入力する圧縮符号化画像データ入力部と、
前記第１初期画素値データと設定された第１量子化参照値との差を第１オフセット値として求めるオフセット値設定部と、
設定された第１量子化幅を用いて第１圧縮符号化画素値データを逆量子化して第１逆量子化画素値データを求める逆量子化部と、
前記第１逆量子化画素値データと前記第１オフセット値との和を求めることにより第１復号化画素値データを生成する復号化画素値生成部と、を有する、ことを特徴とするデジタルデータ復号化装置。
【請求項１６】
前記初期画素値データ部にはさらに、前記第１画素に近接し第２色にセンスする第３画素の第３画素値データがそのまま第２初期値画素値データとして記録され、
前記圧縮符号化画素値データ部にはさらに、前記第３画素の近傍に位置し、第２色にセンスする第４画素の第４画素値データを示す第２圧縮符号化画素値データが記録され、
前記オフセット値設定部はさらに、前記第２初期値データと前記第１量子化参照値との差を第２オフセット値として求め、
前記逆量子化部はさらに、前記第１量子化幅を用いて前記第２圧縮符号化画素値データを逆量子化して第２逆量子化画素値データを求め、
前記復号化画素値生成部はさらに、前記第２逆量子化画素値データと前記第２オフセット値との和を求めることにより第２復号化画素値データを生成する、ことを特徴とする請求項１５に記載のデジタルデータ復号化装置。
【請求項１７】
前記第１色と、前記第２色は相異なる、ことを特徴とする請求項１５に記載のデジタルデータ復号化装置。
【請求項１８】
前記圧縮符号化画素値データ部にはさらに、前記第２画素の近傍に位置し、前記第４画素に近接し、第１色にセンスする第５画素の第５画素値データを示す第３圧縮符号化画素値データが記録され、
前記オフセット値設定部はさらに、前記第１復号化画素値データと設定された第２量子化参照値との差を第３オフセット値として求め、
前記逆量子化部はさらに、設定された第２量子化幅を用いて第３圧縮符号化画素値データを逆量子化して第３逆量子化画素値データを求め、
前記復号化画素値生成部はさらに、前記第３逆量子化画素値データと前記第３オフセット値との和を求めて第３復号化画素値データを生成する、ことを特徴とする請求項１６に記載のデジタルデータ復号化装置。
【請求項１９】
さらに、前記オフセット値設定部の定めたオフセット値が、ゼロ以下である場合、前記オフセット値をゼロに設定しなおすオフセット値ゼロ設定部を有する、ことを特徴とする請求項１５に記載のデジタルデータ復号化装置。
【請求項２０】
前記圧縮符号化画像データは、少なくとも、前記第１量子化幅に関する情報を備える第１量子化幅情報データおよび前記第２量子化幅に関する情報を備える第２量子化幅情報データのいずれか、が記録されている量子化幅情報データ部を備える、ことを特徴とする請求項１８に記載のデジタルデータ復号化装置。
【請求項２１】
さらに、前記逆量子化における量子化幅を、予め決められた複数の量子化幅のいずれか１つに設定する量子化幅設定部を有し、
前記量子化幅設定部は、前記第１量子化幅情報データおよび前記第２量子化幅情報データから、前記第１量子化幅および前記第２量子化幅をそれぞれ、前記複数の量子化幅の１つに設定する、ことを特徴とする請求項２０に記載のデジタルデータ復号化装置。
【請求項２２】
さらに、前記逆量子化における量子化参照値を、予め決められた複数の量子化参照値のいずれか１つに設定する量子化参照値設定部を有し、
前記量子化参照値設定部は、前記第１量子化幅情報データおよび前記第２量子化幅情報データから、前記第１量子化参照値および前記第２量子化参照値をそれぞれ、前記複数の量子化参照値の１つに設定する、ことを特徴とする請求項２１に記載のデジタルデータ復号化装置。
【請求項２３】
前記第１量子化幅情報データおよび第２量子化幅情報データは、それぞれｍビット長（ｍは自然数）のデータである、ことを特徴とする請求項２２に記載のデジタルデータ復号化装置。
【請求項２４】
前記複数の量子化幅および複数の量子化参照値の個数は、それぞれ２のｍ乗個以下である、ことを特徴とする請求項２３に記載のデジタルデータ復号化装置。
【請求項２５】
前記ｍは、２である、ことを特徴とする請求項２３に記載のデジタルデータ復号化装置。
【請求項２６】
少なくとも、第１色にセンスする画素と第２色にセンスする画素を周期的に配置した受光部からの信号をデジタル形式にて示した画素値データを受けて処理する、デジタルデータ符号化方法において、
第１色にセンスする第１画素の第１画素値データと、前記第１画素の近傍に位置し、第１色にセンスする第２画素の第２画素値データとの差分値を第１画素差分値として出力すると共に、第２色にセンスする第３画素の第３画素値データと、前記第３画素の近傍に位置し、第２色にセンスする第４画素の第４画素値データとの差分値を第２画素差分値として出力する、差分生成ステップと、
前記第１画素差分値の絶対値と前記第２画素差分値の絶対値のうちの最大値を最大画素値差として求め、求めた最大画素値差以上の値を量子化参照値として決定する量子化参照値決定ステップと、
前記第１画素値データと前記量子化参照値との差を第１オフセット値として設定すると共に、前記第３画素値データと前記量子化参照値との差を第２オフセット値として設定するオフセット値設定ステップと、
前記第２画素値データと第１オフセット値との差を、第１被量子化処理値として設定すると共に、前記第４画素値データと第２オフセット値との差を、第２被量子化処理値として設定する被量子化処理値設定ステップと、
前記第１被量子化処理値および第２被量子化処理値を、それぞれ量子化して第１圧縮符号化画素値データおよび第２圧縮符号化画素値データを求める量子化ステップと、を有することを特徴とするデジタルデータ符号化方法。
【請求項２７】
第１色にセンスする第１画素の第１画素値データがそのまま第１初期画素値データとして記録されている初期画素値データ部と、前記第１画素の近傍に位置し第１色にセンスする第２画素の第２画素値データを示す第１圧縮符号化画素値データが記録されている圧縮符号化画素値データ部と、を備えるｓビット長（ｓは自然数）の圧縮符号化画像データを入力する圧縮符号化画像データ入力ステップと、
前記第１初期画素値データと設定された第１量子化参照値との差を第１オフセット値として求めるオフセット値設定ステップと、
設定された第１量子化幅を用いて第１圧縮符号化画素値データを逆量子化して第１逆量子化画素値データを求める逆量子化ステップと、
前記第１逆量子化画素値データと前記第１オフセット値との和を求めることにより第１復号化画素値データを生成する復号化画素値生成ステップと、を有する、ことを特徴とするデジタルデータ復号化方法。
【手続補正２】
【補正対象書類名】明細書
【補正対象項目名】００１１
【補正方法】変更
【補正の内容】
【００１１】
この方法ではデータの差分値の圧縮を行うために、ＲＯＭなどに差分圧縮／伸張変換テーブル１４８を持つ必要がある。従来の方法に比べると回路規模は小さくなるとのことである。それでも、ＲＯＭを使用することは免れないので回路構成が大きくなり、処理負担は依然として大きい。
【手続補正３】
【補正対象書類名】明細書
【補正対象項目名】００６７
【補正方法】変更
【補正の内容】
【００６７】
ゾーン量子化幅決定部４３においては、後述する同一の「ゾーン」に含まれる別の画素、即ち第２画素、第３画素、第４画素等、の量子化範囲が、差分量子化範囲決定部４１より送られてくるのを待って、以下の処理を開始する。（図５Ａ、ステップＳ１０５。）ここで、「ゾーン」とは、近接する複数の所定数の画素で構成された画素の集合、（および、それら画素の画素値の集合、）を指す。「近接」する画素とは、ある画素に対し隣接するかまたは最も近い画素を指す。ゾーンに含まれる全ての画素は、同一のゾーンに含まれる他の画素のいずれかと隣接している。本発明によるＣＯＤＥＣ１３は、同一のゾーンに含まれる画素値を、後述する同一の「ゾーン量子化幅」、即ち量子化幅、に基づいて同一の量子化精度（量子化代表値間隔）で量子化する。１つのゾーンに含まれる画素の数は、本実施形態においては、４（ｐ＝４）である。ただし、ゾーンに含まれる画素の数、ｐ、は、４に限定されず、１以上受光素子総画素数以下の整数であればよい。また、画像１フレーム分の画素値に対する圧縮符号化において、ゾーンに含まれる画素の数ｐが可変であってもよい。初期画素値として使用される画素値データを出力した画素については、ゾーンに含まなくてよい。
【手続補正４】
【補正対象書類名】明細書
【補正対象項目名】０１５１
【補正方法】変更
【補正の内容】
【０１５１】
【図１】本発明によるデジタルスチルカメラのブロック図。
【図２】ＳＤＲＡＭの記憶領域使用状況を示す模式図。
【図３】撮像素子受光部における画素の配置を示す模式図。
【図４】実施の形態１にかかるＣＯＤＥＣ１３のブロック図。
【図５Ａ】符号化処理のフローチャート。
【図５Ｂ】符号化処理のフローチャート。
【図６】量子化における諸量の関係を示すグラフ。
【図７】画素値ｇ２を例として表す、量子化処理の詳細を説明するためのグラフ。
【図８Ａ】復号化処理のフローチャート。
【図８Ｂ】復号化処理のフローチャート。
【図９】実施の形態２にかかるＣＯＤＥＣ１１３のブロック図。
【図１０】実施の形態３にかかるＣＯＤＥＣ２１３のブロック図。
【図１１】特許文献１の開示するデジタルスチルカメラの構成を示すブロック図。
【図１２】単板ＣＣＤの部分概略図。
【図１３】特許文献２の開示するデジタル信号圧縮符号化法のフローチャート。
【図１４】特許文献３の開示する画像符号化装置のブロック図。